(57)【特許請求の範囲】
【請求項１】
給水タンクと水を加熱するヒータとスチームを噴出させるスチーム噴出用のノズルを備えているスチーム式美容器であって、ノズルの下部後端部に針金状の復水用導出部材を近接又は、接合して設け、復水用導出部材の後端部が略Ｖ字型に形成されて成ることを特徴とするスチーム式美容器。
【請求項２】
略Ｖ字型に形成された上記復水用導出部材のＶ字型の一辺が他辺の下位においてノズル中心軸と略平行に形成されて成ることを特徴とする請求項１記載のスチーム式美容器。
【請求項３】
略Ｖ字型に形成された上記復水用導出部材がノズルの下部後端部から垂下されて成ることを特徴とする請求項１記載のスチーム式美容器。
【請求項４】
略Ｖ字型に形成された上記復水用導出部材のＶ字型の一辺が垂下され、他辺の上端がノズルの下部後端部に近接するように上記他辺が略Ｖ字型に屈曲されて成ることを特徴とする請求項３記載のスチーム式美容器。
【発明の詳細な説明】
【０００１】
【発明の属する技術分野】
本発明は、スチーム式美容器に関し、詳しくは、ノズル外周に生じた結露溜まりを復水させて、熱滴が吐出されるのを確実に防止しようとする技術に係るものである。
【０００２】
【従来の技術】
従来、給水タンクと水を加熱するヒータとスチームを噴出させるスチーム噴出用のノズルを備えているスチーム式美容器においては、ヒータによって加熱気化させたスチームを人体に向けて噴出させるのであり、結露水滴(湯玉)が噴き出してやけどの虞れがあり、このためにスチーム式美容器においては、結露水滴の噴き出しを防ぐものとならなくてはならない。
【０００３】
そこで、スチーム発生中にノズル近傍及びノズル外周に結露を生じて結露が溜まったもの（以下、「結露溜まり」という）がノズルより吹き出すことがないように、特願平１１−４５５９３号のように、ノズル自体に結露溜まりを滴下、あるいは、給水タンクヘ滴下復水させる機構が設けられている。
【０００４】
しかし、上記滴下機構では、ノズル外周の結露溜まりがノズルの滴下機構によって滴下するまでには時間がかかり、滴下するまでの間、ノズル外周の結露溜まりは、その量が次第に増加して、スチーム圧の変動等により結露溜まりの動きが不安定となってくる。この結露溜まり量は多いほど不安定性は増加し、あるタイミングでスチームとともにノズルより吹き出してしまうという問題があった。
【０００５】
【発明が解決しようとする課題】
本発明はこのような問題を解決しようとするものであり、ノズル外周に生じた結露溜まりを確実に滴下させ、熱滴が吐出されるのを確実に防止することができるスチーム式美容器を提供することを課題とするものである。
【０００６】
【課題を解決するための手段】
請求項１に係る発明においては、給水タンク２と水を加熱するヒータ３とスチームを噴出させるスチーム噴出用のノズル４を備えているスチーム式美容器であって、ノズル４の下部後端部に針金状の復水用導出部材１０９を近接又は、接合して設け、復水用導出部材１０９の後端部が略Ｖ字型に形成されていることを特徴とするものである。
【０００７】
このような構成によれば、ノズル４の下部後端部に集まった外周結露溜まりは、復水用導出部材１０９の先端に接した瞬間に水の表面張力で復水用導出部材１０９の後端部へ移動することから、外周結露溜まりは、その溜まり量が少ないうちに復水用導出部材１０９に引っ張られ復水用導出部材１０９の端部へ移動し後端部結露溜まりとなるのであり、この後端部結露溜まりの溜まり量が増加していくと重力によって滴下して排水することができ、ノズル４から熱滴となって不測に噴出されることを防止することができる。
【００１８】
又、請求項１に係る発明においては、復水用導出部材１０９の端部１０９ｂを屈曲部とする略Ｖ字型に形成した復水用導出部材１０９を備えているものである。この場合筒状体１０５の外周結露溜まりＷは、復水用導出部材１０９の先端に接した瞬間に水の表面張力で端部へ移動し、よって、外周結露溜まりＷは、その溜まり量が少ないうちに復水用導出部材１０９に引っ張られて復水用導出部材１０９の端部へ移動し端部結露溜まりＷ２となり、端部結露溜まりＷ２の溜まり量が増加していくと重力によって滴下する。ここで、復水用導出部材１０９の形状が略Ｖ字型であることにより、外周結露溜まりＷが復水用導出部材１０９の先端から端部１０９ｂへ移動する際、復水用導出部材１０９の間隔が狭くなっていき毛細管現象による引き込み力が発生し端部１０９ｂへの移動がスムーズに加速され、より確実な移動が可能となる。又、端部１０９ｂが屈曲部となっていることにより端部結露溜まりＷ２が重力によって、より滴下しやすくなるものである。
【００１９】
よって、筒状体の外周結露溜まりＷは、その溜まり量が少なくなり、スチーム圧の変動等の影響をうけず、スチーム圧の変動等が影響する端部結露溜まりＷ２においても復水用導出部材１０９の水の保持力で端部結露溜まりＷ２の不安定な動きを抑制する。また、端部結露溜まりＷ２が抑制しきれない程の不安定な動きをしてもスチームノズル内孔部より十分離れた位置で端部結露溜まりＷ２を保持しているのでノズルからあつい湯滴となって結露が吐出されることがなく安全なものとなる。
【００２０】
請求項２に係る発明においては、略Ｖ字型に形成された上記復水用導出部材のＶ字型の一辺が他辺の下位においてノズル中心軸Ｃと略平行に備えるのであり、この場合、復水用導出部材１０９ｄの上側部は、常に復水用導出部材１０９ｄの先端が端部より上方に位置する傾斜を保てるため端部結露溜まりＷ２が筒状体１０５の外周結露溜まりＷ側へ逆流することがなく、よって前述の効果の信頼性が向上し、より確実なものとなるものである。
【００２１】
請求項３に係る発明においては、略Ｖ字型に形成された上記復水用導出部材１０９ｄがノズル４の下部後端部から垂下されているのであり、この場合、特にスチームがスチームノズル６５の下部から供給される場合、筒状体１０５の外周結露溜まりＷへのスチーム圧Ｐ０の影響は筒状体１０５の後側端部１０５ｂの表面で外周結露溜まりＷを斜め上方へ押し上げる圧力Ｐ１となり外周結露溜まりＷがスチームノズル内孔部１０７へ入り込みやすくなる。この圧力Ｐ１の影響をなくすため復水用導出部材１０９により圧力Ｐ１の反力である、引き込み力Ｆを発生させるものであり、この引き込み力Ｆは前述の復水用導出部材１０９の作用に相当するものである。よって、スチームがスチームノズル６５の下部から供給される場合でも外周結露溜まりＷは端部結露溜まりＷ２へと確実に移動し、外周結露溜まりＷはスチーム圧の変動等の影響をうけず、スチーム圧の変動等が影響する端部結露溜まりＷ２においても復水用導出部材１０９の水の保持力で端部結露溜まりＷ２の不安定な動きを抑制する。また、端部結露溜まりＷ２が抑制しきれない程の不安定な動きをしてもスチームノズル内孔部１０７より十分離れた位置で端部結露溜まりＷ２を保持しているのでノズル４からあつい湯滴となって結露が吐出されることがなく安全なものとなる。
【００２２】
請求項４に係る発明においては、略Ｖ字型に形成された上記復水用導出部材１０９のＶ字型の一辺が垂下され、他辺の上端がノズル４の下部後端部に近接するように上記他辺が略Ｖ字型に屈曲されているのであり、この場合、筒状体１０５の後側端部１０５ｂと復水用導出部材１０９の距離的位置が復水用導出部材１０９の先端では狭く、後端部１０９ｅでは広く形成されるため、筒状体１０５の外周結露溜まりＷは、復水用導出部材１０９の先端１０９ａに接した瞬間に水の表面張力で端部１０９ｂへ移動し、よって、外周結露溜まりＷは、その溜まり量が少ないうちに復水用導出部材１０９に引っ張られて復水用導出部材１０９の端部へ移動し端部結露溜まりＷ２となり、端部結露溜まりＷ２の溜まり量が増加していくと重力によって滴下する。よって、復水用導出部材１０９の先端１０９ａでの引き込み力が向上することにより、前述の効果がより効果的になるのである。
【００２３】
【発明の実施の形態】
以下、本発明の実施の形態を図面に基づいて説明する。
【００２４】
本発明の実施の形態の一例を示すスチーム式美容器の縦断面図を図1に示す。
【００２５】
本体１は収容ケース２２と上部カバー２３でその外郭を形成しており、上部カバー２３は収容ケース２２の上面を覆うように着脱自在に収容ケース２２の上端部に係上されている。収容ケース２２は下方にボス等を含む載置部２４を有し、載置部２４の上面より立壁２５ａを立設し、立壁２５ａの上端より横壁２５ｂを横設して、載置部２４の下面に対して開口した凹部２５を形成している。この凹部２５を形成する立壁２５ａ及び横壁２５ｂを境界として、収容ケース２２の内部側に形成される収容空間を内側収容部２６とし、収容ケース２２の外部側に形成される収容空間を外側収容部２７とする。前記凹部２５の横壁２５ｂの中央には貫通孔２９を有したボス部２８が形成されている。
【００２６】
缶体１１は第一缶体３２と第二缶体３３とを接続して形成されるもので、その内部には給水タンク２及び沸騰室６等が設けられている。ここで、給水タンク２とは第一缶体３２内に設けた第一貯水部４６と第二缶体３３内に設けた第二貯水部５７とを併せたものをいう。
【００２７】
缶体１１は収容ケース２２の載置部２４とボス等を有した押さえ部材３０にて収容ケース２２の内側収容部２６に固定される。
【００２８】
第一缶体３２は有底筒状をした給水筒部３４と給水筒部３４の周壁３６に接合したヒータ取付け管３５とで形成される。ヒータ取付け管３５の外側端部は開口部３５ａとなっており、ヒータ３がヒータ取付け部５２に取付けられる。給水筒部３４の周壁３６のうちヒータ取付け管３５と対向する位置には、側部開口部３４ｃ及び側部開口部３４ｄが上下二列にもうけてある。
【００２９】
給水筒部３４の上部は周壁３６の内側を全開口する上部開口部３４ａとなっており、第一開口部３８と呼ぶ。一方、給水筒部３４の底部３４ｅの中央には中空パイプ状の連通管３７が設けてあり。連通管３７は上側突設管３７ａと下側突設管３７ｂとから構成される。上側突設管３７ａは給水筒部３４の内部上方に向かって伸び、その上端は給水筒部３４の第一開口部３８よりもある程度下方の高さにある。これはタンク蓋４０によって形成されるスチーム溜まり室４７を給水筒部３４の上側に設けるためである。そして、下側突設管３７ｂは給水筒部３４の底部３４ｅより外側へ突出形成される。下側突設管３７ｂは前記凹部２５に形成したボス部２８の貫通孔２９にシール性を保って接続されている。尚、連通管３７の上端開口部３７ｃを第二開口部３９と呼ぶ。
【００３０】
給水筒部３４の第一開口部３８はタンク蓋４０によって閉塞される。このタンク蓋４０にはフランジ部４４が設けてあり、フランジ部４４と給水筒部３４の底部３４ｅと周壁４８によって囲まれる第一貯水部４６を形成する。
【００３１】
ヒータ取付け管３５の内部には給水筒部３４の底部３４ｅよりやや上方からヒータ取付け管３５の上部内壁より少し下方の位置まで周壁３６の外壁に中空の箱体４８が配設され、箱体４８の下面とヒータ取付け管３５の下部内壁との間に隙間部９１を形成するとともに箱体４８の下面とヒータ取付け管３５の上部内壁との間に隙間部９２を形成するようになっている。そして、中空の箱体４８を形成する壁と開口部３５ａに取り付けられたヒータ３の内側壁面３ａとの間には縦長状の隙間部９３が形成され、この隙間部９３が沸騰室６となる。沸騰室６の内壁７、すなわち、箱体４８の壁には上下方向に少なくとも一つ以上の突部８が配設してある。そして、前述の隙間部９１は第一貯水部４６と沸騰室６とを連通する給水路４９であり、隙間部９２は沸騰室６とスチーム溜まり室４７とを連通する連通路５０である。尚、ヒータ３は缶体１１の外部に対して端子５３を有し、これにリード線を接合し、電力制御手段などを介して電源に接続されている。
【００３２】
第二缶体３３は上下二列に配列された２つの円管５４及び円管５５を連結部５８を介して連結することで略ｕ字状に形成されたものである。前述上下二列に配列された２つの円管のうち上側の円管５４の開口端５４ａ及び下側の円管５５の開口端５５ａの外周に設けた溝にはそれぞれＯリング８７，８８が装着され、給水筒部３４の周壁３６に上下に護けた側部開口部３４ｃ及び側部開口部３４ｄとシール性を保って接続されている。
【００３３】
第二缶体３３の上側に配された円管５４はスチーム通路５６であり、下側に配された円管５５は第二貯水部５７であり、スチーム通路５６は給水筒部３４に形成されるスチーム溜まり室４７と側部開口部３４ｃで連通し第二貯水部５７は給水筒部３４の第一貯水部４６と側部開口部３４ｄで連通している。
【００３４】
第二缶体３３の上側に配されたスチーム通路５６に連続する連結部５８は復水部５９となっており、復水部５９の下面には復水孔６１が設けてあり、第二缶体３３の下側に配された第二貯水部５７と連通している。また、復水部５９の上部、すなわち、第二缶体３３の連結部５８の上部には上部開口部３３ａが設けてあり、スチーム吐出管１２と連通するようになっている。ここで、スチーム吐出管１２とは後述するノズル４、連結管１８、継手６０から構成されるものをいう。
【００３５】
スチーム吐出管１２は第二缶体３３の上部に設けた上部開口部３３ａと継手６０で接続される(図２)。すなわち、継手６０はエルボ部６０ａと基部６０ｂとから構成され、基部６０ｂの外周に設けた溝に０リング８６が装着され、基部６０ｂが前述上部開口部３３ａにシール性を保って接続される。エルボ部６０ａは基部６０ｂに対してエルボ部６０ａが伸びる方向と反対の方向にずらして突設した構造となっているので、継手６０を第二缶体３３に接続するとエルボ部６０ａの下端開口６０ｄは第二缶体３３の前壁部１４よりも後方にずれて位置するようになる。このため、継手６０のエルボ部６０ａの下端開口６０ｄと第二缶体３３の前壁部１４との間には段部１５が形成される。この段部１５が止水部１６となる。
【００３６】
継手６０の上端開口６０ｃは連結管１８とシール性を保って接続される(図２)。そして、継手６０はノズル角度可変範囲、及び復水部１０への結露水の復水を考慮して、その屈曲部９５が最適となるように設計する。
【００３７】
ノズル４は以下説明するノズルカップ７１、ホルダー６８、ホルダー６９、吸水体７０、パッキン６７、スチームノズル６５で構成される。
【００３８】
ホルダー６９にはスチームノズル６５がスチーム充満路６６に中空、突出する形で配設される。スチームノズル６５はパッキン６７でシール性を保って固定され、パッキン６７はホルダー６８とホルダー６９の固定力でシール性が確保できるよう設計する。これによりスチーム充満路６６での結露水滴がスチームノズル６５より吐出されるのを防止することができる。吸水体７０はスチームノズル６５から万が一流水した場合にそなえて、パッキン６７とホルダー６８間に設置される。ノズルカップ７１はホルダー６８に固定するか、又はホルダー６８と着脱自在に係止する。
【００３９】
そしてノズル４への連結管１８が弾性体１９で構成されており、その可動部分２０においてくびれ２１があることで、使用時のノズル４の角度変更がスムーズに行えるようになり、また、弾性体１９の可動部分２０にくびれ２１を配設することで、ノズル４の角度変更による弾性体１９の凹凸を最小限にでき、凹凸による結露溜まりを防ぎ、ノズル４から熱い湯滴となって結露が吐出されることがなく安全なものとなる。
【００４０】
ところで、前述の第一缶体３２を構成する給水筒部３４の上部開口部３４ａ、すなわち、第一開口部３８はタンク蓋４０で閉塞される。また、給水筒部３４の下方に配設された外側収容部２７には排水カップ８４が嵌め込まれる。排水カップ８４は給水筒部３４の下部開口部３４ｂと連通する貫通孔２９の下方にあるため、給水筒部３４の第二開口部３９から給水筒部３４外へ流出する水の受け皿の役割をする。
【００４１】
上述のノズル４を構成するスチームノズル６５としては上記例の他に図３及至図１１に示すものが考えられる。
【００４２】
図３に示すスチームノズル６５は筒状体１０５と筒状体１０５の内面に設けた多孔質高熱伝導材（例えばSUS316L）１０６で構成される。筒状体１０５は熱伝導性の良い真鍮、銅等で熱容量を小さくして形成するが、断熱性の高いものであってもよく、例えばシリコン樹脂で熱容量を小さくして形成してもよい。ところで、前述のスチームノズル６５の形状では、筒状体１０５の外周結露溜まりＷがスチーム圧の変動等で不安定な動きをし、あるタイミングでノズルより吹き出してしまう虞れがある。そこで、図３に示すスチームノズル６５では、筒状体１０５の後側端部１０５ｂを多孔質高熱伝導材１０６の内径と略等しい穴を有する中空円形とし、多孔質高熱伝導材１０６を覆い、筒状体１０５の後側端部１０５ｂの下部に縁部１０８を延設し、図３に示す参考例においては、縁部１０８にひも状の復水用導出部材１０９を備え、その両端を近接したものである。
【００４３】
これにより、筒状体１０５の外周結露溜まりＷは、復水用導出部材１０９の先端１０９ａに接した瞬間に水の表面張力で端部１０９ｂへ移動し、よって、外周結露溜まりＷは、その溜まり量が少ないうちにひも状の復水用導出部材１０９に引っ張られてひも状の復水用導出部材１０９の端部１０９ｂへ移動し結露溜まりＷ２となり、結露溜まりＷ２の溜まり量が増加していくと重力によって滴下する。
【００４４】
ここで、ひも状の復水用導出部材１０９の端部１０９ｂは筒状体１０５の後側端部１０５ｂより十分離れた位置に設置する。
【００４５】
よって、スチーム圧の変動等によって結露溜まりＷは影響せず、影響する結露溜まりＷ２においてもひも状の復水用導出部材１０９の水の保持力で結露溜まりＷ２の不安定な動きを抑制する。また、結露溜まりＷ２が抑制しきれない程の不安定な動きをしてもスチームノズル内孔部１０７より十分離れた位置で結露溜まりＷ２を保持しているのでノズル４から熱い湯滴となって結露が吐出されることがなく安全なものとなる。
【００４６】
尚、ひも状の復水用導出部材１０９は、その両端を結合してもよく、この場合は、復水用導出部材１０９ｃと復水用導出部材１０９ｄの両方の引張り力によって同様の効果を得ることができる。
【００４７】
又、図４に示す例の通り、図３の筒状体１０５の構成に、ひも状の復水用導出部材１０９と筒状体１０５の後側端部１０５ｂの孔１１１に固定設置されているひも状の復水用導出部材１１０を並列に備えたものである。このような構成とすることで、復水用導出部材１０９と復水用導出部材１１０両方の引張り力によって前述同様の効果を得ることができる。
【００４８】
又、前述のひも状の復水用導出部材１０９であるが、複数のひも状の復水用導出部材１０９を縒り込み、又は編み込みしたほうが好ましく、これにより、復水用導出部材１０９は毛細管現象を発生し、前述の効果がより効果的になるものである。
【００４９】
又、図５に示す例の通り、図３の筒状体１０５の構成に、屈曲状の板を復水用導出部材１０９とし、その両端を近接して備えることでも前述同様の効果を得ることができる。
【００５０】
尚、屈曲状板の復水用導出部材１０９は、その両端を結合してもよく、この場合は、復水用導出部材１０９ｃと復水用導出部材１０９ｄの両方の引張り力によって同様の効果を得ることができる。ちなみに、その板厚は薄く、板幅は小さいほうが結露溜まりＷを引っ張る力が増加し、これに加えて、結露溜まりＷ２が滴下するまでの溜まり量が少なくなるのでスチーム圧の変動等による影響を受けにくくなるので好ましい。
【００５１】
又、前述のひも状の復水用導出部材１０９及び、屈曲状板の復水用導出部材１０９は、熱伝導性の良い金属であることが好ましく、これにより、スチーム温度で復水用導出部材１０９が温度上昇を生じ高温となることで、復水用導出部材１０９自身に生じる結露量が低減できるとともに、任意の形状が容易に形成しやすい利点がある。
【００５２】
又、この復水用導出部材１０９を可撓性金属で形成してもよく、これにより、前述効果に加え、落下衝撃等の外部応力が加わった時でも、その形状を確実に維持でき経時的な形状信頼性が向上する。
【００５３】
又、図６に示す例の通り、図３の筒状体１０５の構成に、鎖状の復水用導出部材１０９をその両端が近接するように備えたものである。このような構成とすることで、筒状体１０５の外周結露溜まりＷは、復水用導出部材１０９の先端１０９ａに接した瞬間に水の表面張力で復水用導出部材１０９へ移行し、その後、鎖状の復水用導出部材１０９の毛細管現象により引っ張られながら鎖状の復水用導出部材１０９の端部１０９ｂへ確実に移動して結露溜まりＷ２となり、結露溜まりＷ２の溜まり量が増加していくと重力によって滴下する。よって、筒状体１０５の外周結露溜まりＷは、その溜まり量が少なくなり、スチーム圧の変動等の影響をうけず、スチーム圧が影響する結露溜まりＷ２においても鎖状の復水用導出部材１０９の水の保持力で結露溜まりＷ２の不安定な動きを抑制する。ここで、鎖状の復水用導出部材１０９の端部１０９ｂはスチームノズル内孔部１０７より十分離れた位置に設置する。これにより、結露溜まりＷ２が抑制しきれない程の不安定な動きをしてもスチームノズル内孔部１０７より十分離れた位置で結露溜まりＷ２を保持しているので、ノズル４から熱い湯滴となって結露が吐出されることがなく安全なものとなる。
【００５４】
尚、鎖状の復水用導出部材１０９は、その両端を結合してもよく、この場合は、復水用導出部材１０９ｃと復水用導出部材１０９ｄの両方の引張り力によって同様の効果を得ることができる。
【００５５】
次に更に他の参考例を図７に示す。筒状体１０５の後側端部１０５ｂを多孔質高熱伝導材１０６の内径と略等しい穴を有する中空円形とし、多孔質高熱伝導材１０６を覆い、筒状体１０５の後側端部１０５ｂの穴径より下部に板状の復水用導出部材１０９を備えたものである。板状の復水用導出部材１０９は、本実施例の如く、広面積側端面が鉛直方向に対して平行に配列したもので、これにより、板状の復水用導出部材１０９との表面張力で結露溜まりＷは結露溜まりＷ２に確実に移動するとともに、移動中及び移動後もスチーム圧の変動等による結露溜まりの不安定な動きを抑制できるものである。
【００５６】
尚、板状の復水用導出部材１０９の後側端部１０９ｂは、可能な限りエッジにした方が好ましく、これにより、結露溜まりＷ２の結露溜まり量が少ないうちに滴下するので、結露溜まりＷ２の不安定な動きを軽減できるものである。ここで板状の復水用導出部材１０９の板厚は薄い方がより結露溜まりＷ２が滴下しやすくなり好ましい。
【００５７】
又、図８に示す例の通り、図７の筒状体１０５の構成に、筒状体１０５の後側端部１０５ｂの穴径より下部に板状の復水用導出部材１０９を備えたもので、その広面積側端面が鉛直方向に対して直交に配列したものである。これにより、板状の復水用導出部材１０９との表面張力で結露溜まりＷは結露溜まりＷ２に確実に移動するとともに、移動中及び移動後もスチーム圧の変動等による結露溜まりの不安定な動きを抑制できるものである。
【００５８】
尚、図８に示す参考例において、板状の復水用導出部材１０９の後側端部１０９ｂは、可能な限りエッジにした方が好ましく、これにより、結露溜まりＷ２の結露溜まり量が少ないうちに滴下するので、結露溜まりＷ２の不安定な動きを軽減できるものである。ここで板状の復水用導出部材１０９の板厚は薄く、板幅は小さい方が結露溜まりＷ２がより滴下しやすくなり好ましい。
【００５９】
又、図９に示す例の通り、図７の筒状体１０５の構成に、筒状体１０５の後側端部１０５ｂの穴径より下部に広面積側端面が鉛直方向に対して平行に配列した板状の復水用導出部材１０９を備え、その後側端部１０９ｂに広面積側端面が鉛直方向に対して直交するように配列した板状の復水用導出部材１１０を備えたものである。これにより、板状の復水用導出部材１０９との表面張力で結露溜まりＷは結露溜まりＷ２に確実に移動した後、板状の復水用導出部材１１０との表面張力で結露溜まりＷ２は確実に保持されスチーム圧の変動等による結露溜まりＷ２の不安定な動きをより効果的に抑制できるものである。尚、図９に示す実施例において板状の復水用導出部材１１０は板状の復水用導出部材１０９の広面積側両端面に突出してもよく、本実施例の如く片側のみの突出でもよい。又、板状の復水用導出部材１１０の後側端面１１０ｂは可能な限りエッジにし、板状の復水用導出部材１０９、１１０の板厚は薄い方が結露溜まりＷ２の結露量が少なく、かつ滴下しやすくなり好ましい。
【００６０】
次に他の参考例を図１０に示す。筒状体１０５の後側端部１０５ｂを多孔質高熱伝導材１０６の内径と略等しい穴を有する中空円形とし、多孔質高熱伝導材１０６を覆い、筒状体１０５の後側端部１０５ｂに後側端部１０５ｂの穴径と等しい小円筒部１１２を連続して設け、小円筒部１１２の全外周と筒状体１０５の後側端部１０５ｂに接するよう、ひも状の復水用導出部材１０９を配置し、ひも状の復水用導出部材１０９の端部１１３を小円筒部１１２の中心軸Ｘに対し直角に、スチームノズル内孔部１０７より十分離れた位置まで降下したものである。これにより、小円筒部１１２の外周及び、筒状体１０５の後側端部１０５ｂに生じた結露Ｗをひも状の復水用導出部材１０９によって残らず収集し、ひも状の復水用導出部材１０９の端部１１３に集め滴下することができるため、結露Ｗが結露溜まりＷ２へ移動する際の不安定な動きを大幅に軽減できるとともに、スチーム圧の変動等によって結露溜まりＷ２が不安定な動きをしても、スチームノズル内孔部１０７より十分離れた位置で結露溜まりＷ２を保持滴下しているため、ノズル４から熱い湯滴となって結露が吐出されることがなく安全なものとなる。ちなみに、図１１に示す例の通り、スチーム内孔部１０７より十分離れた位置において、ひも状の復水用導出部材１０９の端部１１３を小円筒部１１２の中心軸Ｘに対して、ある角度で傾斜させることで、前述と同様の効果が得られるとともに、結露溜まりＷ２がより滴下しやすくなり効果的である。ここで、ある角度とは、ノズル４の可動において結露溜まりＷ２が滴下しやすいよう、例えば垂直になるよう設定したものをいう。
【００６１】
図１２に本発明の実施例を示す。本実施例においては、図３のスチームノズル６５の構成において復水用導出部材１０９の端部１０９ｂを屈曲部とする略Ｖ字型に形成した復水用導出部材１０９を備えたものである。このような構成とすることで筒状体１０５の外周結露溜まりＷは、復水用導出部材１０９の先端１０９ａに接した瞬間に水の表面張力で端部１０９ｂへ移動し、よって、外周結露溜まりＷは、その溜まり量が少ないうちに復水用導出部材１０９に引っ張られて復水用導出部材１０９の端部１０９ｂへ移動し結露溜まりＷ２となり、結露溜まりＷ２の溜まり量が増加していくと重力によって滴下する。ここで、復水用導出部材１０９の形状が略Ｖ字型であることにより、外周結露溜まりＷが復水用導出部材１０９の先端１０９ａから端部１０９ｂへ移動する際、復水用導出部材１０９の間隔が狭くなっていき毛細管現象による引き込み力が発生し端部１０９ｂへの移動がスムーズに加速され、より確実な移動が可能となる。又、端部１０９ｂが屈曲部となっていることにより結露溜まりＷ２が重力によって、より滴下しやすくなるものである。
【００６２】
よって、筒状体１０５の外周結露溜まりＷは、その溜まり量が少なくなり、スチーム圧の変動等の影響をうけず、スチーム圧の変動等が影響する結露溜まりＷ２においても復水用導出部材１０９の水の保持力で結露溜まりＷ２の不安定な動きを抑制する。また、結露溜まりＷ２が抑制しきれない程の不安定な動きをしてもスチームノズル内孔部１０７より十分離れた位置で結露溜まりＷ２を保持しているのでノズル４からあつい湯滴となって結露が吐出されることがなく安全なものとなる。
【００６３】
又、図１３に示す実施例においては、図１２のスチームノズル６５の構成において復水用導出部材１０９ｄをノズル中心軸Ｃと略平行に備えたものである。このような構成とすることで、復本用導出部材１０９ｃは、常に先端１０９ａが端部１０９ｂより上方に位置する傾斜を保てるため結露溜まりＷ２が外周結露溜まりＷ側へ逆流することがなく、よって前述の効果の信頼性が向上し、より確実なものとなるものである。
【００６４】
図１４は更に他の実施例を示す。本実施例においては、図１２のスチームノズル６５の構成において復水用導出部材１０９ｄをノズル中心軸Ｃを（水平）基準として垂下させて端部１０９ｂを下側に位置させ略Ｖ字型を形成した復水用導出部材１０９を備えたものである。このような構成とすることで、特にスチームがスチームノズル６５の下部から供給される場合、外周結露溜まりＷへのスチーム圧Ｐ０の影響は筒状体１０５の後側端部１０５ｂの表面で外周結露溜まりＷを斜め上方へ押し上げる圧力Ｐ１となり結露溜まりＷがスチームノズル内孔部１０７へ入り込みやすくなる。この圧力Ｐ１の影響をなくすため復水用導出部材１０９により圧力Ｐ１の反力である、引き込み力Ｆを発生させるものであり、この引き込み力Ｆは図１３のスチームノズル６５の復水用導出部材１０９の作用に相当するものである。よって、スチームがスチームノズル６５の下部から供給される場合でも外周結露溜まりＷは結露溜まりＷ２へと確実に移動し、外周結露溜まりＷはスチーム圧の変動等の影響をうけず、スチーム圧の変動等が影響する結露溜まりＷ２においても復水用導出部材１０９の水の保持力で結露溜まりＷ２の不安定な動きを抑制する。また、結露溜まりＷ２が抑制しきれない程の不安定な動きをしてもスチームノズル内孔部１０７より十分離れた位置で結露溜まりＷ２を保持しているのでノズル４からあつい湯滴となって結露が吐出されることがなく安全なものとなる。
【００６５】
図１５は更に他の実施例を示し、本実施例においては、図１４のスチームノズル６５の構成に加え復水用導出部材１０９の先端１０９ａが筒状体１０５の後側端部１０５ｂに近接するように復水用導出部材１０９の後端部１０９ｅを略Ｖ字型に形成した復水用導出部材１０９を備えたものである。このような構成とすることで、筒状体１０５の後側端部１０５ｂと復水用導出部材１０９の距離的位置が復水用導出部材１０９の先端１０９ａでは狭く、後端部１０９ｅでは広く形成されるため、筒状体１０５の外周結露溜まりＷは、復水用導出部材１０９の先端１０９ａに接した瞬間に水の表面張力で端部１０９ｂへ移動し、よって、外周結露溜まりＷは、その溜まり量が少ないうちに復水用導出部材１０９に引っ張られて復水用導出部材１０９の端部１０９ｂへ移動し結露溜まりＷ２となり、結露溜まりＷ２の溜まり量が増加していくと重力によって滴下する。よって、復水用導出部材１０９の先端１０９ａでの引き込み力が向上するすることにより、前述の効果がより効果的になるのである。
【００６６】
【発明の効果】
請求項１に係る発明においては、給水タンクと水を加熱するヒータとスチームを噴出させるスチーム噴出用のノズルを備えているスチーム式美容器であって、ノズルの下部後端部に針金状の復水用導出部材を近接又は、接合して設け、復水用導出部材の後端部が略Ｖ字型に形成されているから、ノズルの下部後端部に集まった外周結露溜まりは、復水用導出部材の先端に接した瞬間に水の表面張力で復水用導出部材の後端部へ移動することから、外周結露溜まりは、その溜まり量が少ないうちに復水用導出部材に引っ張られ復水用導出部材の端部へ移動し後端部結露溜まりとなるのであり、この後端部結露溜まりの溜まり量が増加していくと重力によって滴下して排水することができ、ノズルから熱滴となって不測に噴出されることを防止することができる。
【００７２】
又、請求項１に係る発明においては、復水用導出部材の端部を屈曲部とする略Ｖ字型に形成した復水用導出部材を備えるのであり、この場合筒状体の外周結露溜まりは、復水用導出部材の先端に接した瞬間に水の表面張力で端部へ移動し、よって、外周結露溜まりは、その溜まり量が少ないうちに復水用導出部材に引っ張られて復水用導出部材の端部へ移動し端部結露溜まりとなり、端部結露溜まりの溜まり量が増加していくと重力によって滴下するのである。ここで、復水用導出部材の形状が略Ｖ字型であることにより、外周結露溜まりが復水用導出部材の先端から端部へ移動する際、復水用導出部材の間隔が狭くなっていき毛細管現象による引き込み力が発生し端部への移動がスムーズに加速され、より確実な移動が可能となるのである。又、端部が屈曲部となっていることにより端部結露溜まりが重力によって、より滴下しやすくなるものである。
【００７３】
よって、筒状体の外周結露溜まりは、その溜まり量が少なくなり、スチーム圧の変動等の影響をうけず、スチーム圧の変動等が影響する端部結露溜まりにおいても復水用導出部材の水の保持力で端部結露溜まりの不安定な動きを抑制するのである。また、結露溜まりが抑制しきれない程の不安定な動きをしてもスチームノズル内孔部より十分離れた位置で端部結露溜まりを保持しているのでノズルからあつい湯滴となって結露が吐出されることがなく安全なものとなるのである。
【００７４】
請求項２に係る発明においては、略Ｖ字型に形成された上記復水用導出部材のＶ字型の一辺が他辺の下位においてノズル中心軸と略平行に備えるのであり、この場合、復水用導出部材の上側部は、常に復水用導出部材の先端が端部より上方に位置する傾斜を保てるため端部結露溜まりが筒状体の外周結露溜まり側へ逆流することがなく、よって前述の効果の信頼性が向上し、より確実なものとなるものである。
【００７５】
請求項３に係る発明においては、略Ｖ字型に形成された上記復水用導出部材がノズルの下部後端部から垂下されているのであり、この場合、特にスチームがスチームノズルの下部から供給される場合、筒状体の外周結露溜まりへのスチーム圧の影響は筒状体の後側端部の表面で外周結露溜まりを斜め上方へ押し上げる圧力となり外周結露溜まりがスチームノズル内孔部へ入り込みやすくなるものである。この圧力の影響をなくすため復水用導出部材により圧力の反力である、引き込み力を発生させるものであり、この引き込み力は前述の復水用導出部材の作用に相当するものである。よって、スチームがスチームノズルの下部から供給される場合でも外周結露溜まりは端部結露溜まりへと確実に移動し、外周結露溜まりはスチーム圧の変動等の影響をうけず、スチーム圧の変動等が影響する端部結露溜まりにおいても復水用導出部材の水の保持力で端部結露溜まりの不安定な動きを抑制するものである。また、端部結露溜まりが抑制しきれない程の不安定な動きをしてもスチームノズル内孔部より十分離れた位置で端部結露溜まりを保持しているのでノズルからあつい湯滴となって結露が吐出されることがなく安全なものとなる。
【００７６】
請求項４に係る発明においては、略Ｖ字型に形成された上記復水用導出部材のＶ字型の一辺が垂下され、他辺の上端がノズルの下部後端部に近接するように上記他辺が略Ｖ字型に屈曲されているのであり、この場合、筒状体の後側端部と復水用導出部材の距離的位置が復水用導出部材の先端では狭く、後端部では広く形成されるため、筒状体の外周結露溜まりは、復水用導出部材の先端に接した瞬間に水の表面張力で端部へ移動し、よって、外周結露溜まりは、その溜まり量が少ないうちに復水用導出部材に引っ張られて復水用導出部材の端部へ移動し端部結露溜まりとなり、端部結露溜まりの溜まり量が増加していくと重力によって滴下するのである。よって、復水用導出部材の先端での引き込み力が向上することにより、前述の効果がより効果的になるのである。
【図面の簡単な説明】
【図１】本発明の実施の一形態を示すスチーム式美容器の断面図である。
【図２】同上のノズル部分の中心線断面図である。
【図３】同上のスチームノズルの参考例の概略側面図である。
【図４】同上の他の参考例のスチームノズルの概略側面図である。
【図５】（ａ）は同上の更に他の参考例のスチームノズルの概略側面図、（ｂ）は概略正面図である。
【図６】同上の更に他の参考例のスチームノズルの概略側面図である。
【図７】（ａ）は同上の更に他の参考例のスチームノズルの概略側面図、（ｂ）は概略正面図である。
【図８】（ａ）は同上の更に他の参考例のスチームノズルの概略側面図、（ｂ）は概略正面図、（ｃ）は概略平面図である。
【図９】（ａ）は同上の更に他の参考例のスチームノズルの概略側面図、（ｂ）は概略正面図、（ｃ）は概略平面図である。
【図１０】（ａ）は同上の更に他の参考例のスチームノズルの概略側面図、（ｂ）は概略正面図である。
【図１１】同上の他の参考例のスチームノズルの概略側面図である。
【図１２】本発明の実施の形態のスチームノズルの概略側面図である。
【図１３】同上の他の実施の形態のスチームノズルの概略側面図である。
【図１４】同上の更に他の実施の形態のスチームノズルの概略側面図である。
【図１５】同上の更に他の実施の形態のスチームノズルの概略側面図である。
【符号の説明】
２    給水タンク
３    ヒータ
４    ノズル
【図１】
0003893851.tif 000002
【図２】
0003893851.tif 000003
【図３】
0003893851.tif 000004
【図４】
0003893851.tif 000005
【図５】
0003893851.tif 000006
【図６】
0003893851.tif 000007
【図７】
0003893851.tif 000008
【図８】
0003893851.tif 000009
【図９】
0003893851.tif 000010
【図１０】
0003893851.tif 000011
【図１１】
0003893851.tif 000012
【図１２】
0003893851.tif 000013
【図１３】
0003893851.tif 000014
【図１４】
0003893851.tif 000015
【図１５】
0003893851.tif 000016